(57)【要約】方法及び装置は、患者へ結合可能な電極の組を有する外部除細動器を動作するためにユーザへ指示を与える。当該方法は、電極の組を患者へ取り付けるようユーザに指示する音声プロンプトを無線プロトコルを介して送信することによって開始する。当該方法は、除細動器治療を施すようユーザに指示する少なくとも１つの更なる音声プロンプトを無線プロトコルを介して送信することによって続く。
2007522859.tif 000002
【特許請求の範囲】
【請求項１】
患者へ結合可能な電極の組を有する外部除細動器を動作するためにユーザへ指示を与える方法であって：
前記電極の組を前記患者へ取り付けるよう前記ユーザに指示する音声プロンプトを無線プロトコルを介して送信するステップ；及び
除細動器治療を施すよう前記ユーザに指示する少なくとも１つの更なる音声プロンプトを前記無線プロトコルを介して送信するステップ；
を有する方法。
【請求項２】
ＣＰＲ治療を施すよう前記ユーザに指示する音声プロンプトを前記無線プロトコルを介して送信するステップを更に有する請求項１記載の方法。
【請求項３】
患者評価シーケンスが始められることを前記ユーザに指示する音声プロンプトを前記無線プロトコルを介して送信するステップを更に有する請求項２記載の方法。
【請求項４】
前記外部除細動器は、全自動式外部除細動器であることを特徴とする請求項１記載の方法。
【請求項５】
前記外部除細動器は、半自動式外部除細動器であることを特徴とする請求項１記載の方法。
【請求項６】
前記無線プロトコルは、ブルートュースと、ＩＥＥＥ８０２．１１と、ＩＥＥＥ８０２．１５と、ＩＥＥＥ８０２．１６と、近距離通信インターフェース及びプロトコル（ＮＦＣＩＰ−１）と、ホームＲＦとを有するグループから選択されることを特徴とする請求項１記載の方法。
【請求項７】
持ち運び可能な装置に組み込まれた受信器へ音声プロンプトを送信するステップを更に有する請求項１記載の方法。
【請求項８】
前記持ち運び可能な装置は、ヘッドホンと、無線電話と、ＰＤＡとを有するグループから選択されることを特徴とする請求項７記載の方法。
【請求項９】
制御装置；
エネルギー源；
電気療法を患者へ提供する少なくとも１つの電極；
前記エネルギー源から前記少なくとも１つの電極へ電気ショックを伝えるよう前記制御装置によって動作可能なエネルギー伝送システム；
前記制御装置によって起動される音声プロンプトを発生させる音声回路；及び
無線通信プロトコルを介して前記音声プロンプトを送信するために前記音声回路へ結合された無線送信器；
を有する電気療法装置。
【請求項１０】
無線受信器を組み込まれた持ち運び可能な装置を更に有し、
前記無線受信器は、前記無線送信器が動作するところの前記無線通信プロトコルに従って動作することを特徴とする請求項９記載の電気療法装置。
【請求項１１】
前記持ち運び可能な装置は、ヘッドホンと、無線電話と、ＰＤＡとを有するグループから選択されることを特徴とする請求項１０記載の電気療法装置。
【請求項１２】
外部除細動器であることを特徴とする請求項９記載の電気療法装置。
【請求項１３】
前記外部除細動器は、全自動式外部除細動器であることを特徴とする請求項１２記載の電気療法装置。
【請求項１４】
前記外部除細動器は、半自動式外部除細動器であることを特徴とする請求項１２記載の電気療法装置。
【請求項１５】
前記無線受信器によって使用される前記無線通信プロトコルは、ブルートュースと、ＩＥＥＥ８０２．１１と、ＩＥＥＥ８０２．１５と、ＩＥＥＥ８０２．１６と、近距離通信インターフェース及びプロトコル（ＮＦＣＩＰ−１）と、ホームＲＦとを有するグループから選択されることを特徴とする請求項９記載の電気療法装置。
【発明の詳細な説明】
【技術分野】
【０００１】
本発明は、除細動器、更に具体的には、自動又は半自動の外部除細動器（ＡＥＤ）に関する。
【背景技術】
【０００２】
突然心臓死は、アメリカ合衆国において主な死因であって、２分に１人が亡くなっている。ほとんどの突然心臓死は、心室細動（ＶＦ）によって引き起こされる。心室細動では、心臓の筋繊維がばらばらに収縮し、それによって身体への正常な血流が停止する。ＶＦに対する唯一の既知の効果的な治療は、電気的除細動である。電気的除細動では、電気パルスが患者の心臓へ印加される。電気パルスは、患者が生存の如何なる道理にかなったチャンスをも有するために、ＶＦの開始後短時間で送られるべきである。電気的除細動は、また、ショックを与えることが可能な心室頻拍（ＶＴ）を治療するために使用可能である。従って、除細動は、ショックを与えることが可能な調律、即ち、ＶＦ又はショックを与えることが可能なＶＴの適切な治療である。
【０００３】
電気的除細動を提供する１つの方法は、外部除細動器を使用する。外部除細動器は、患者の胴体へ取り付けられた電極を介して患者の心臓へ電気パルスを送る。外部除細動器は、通常、病院の緊急治療室、手術室、及び緊急医療車（救急車）に置かれ、使用される。現在利用可能な多種多様な外部除細動器の中で、自動及び半自動の外部除細動器（ＡＥＤと総称される。）は、比較的経験の浅い者によっても使用可能であることから、ますます一般的になりつつある。このようなＡＥＤは、また、特に軽量で、小型で、持ち運び可能でもある。ＡＥＤは、例えば、「電気治療方法及び装置（Ｅｌｅｃｔｒｏｔｈｅｒａｐｙ  Ｍｅｔｈｏｄ  ａｎｄ  Ａｐｐａｒａｔｕｓ）」と題されたキャメロン等による米国特許番号５，６０７，４５４、「セルフテスト機能を有する除細動器（Ｄｅｆｉｂｒｉｌｌａｔｏｒ  ｗｉｔｈ  Ｓｅｌｆ−Ｔｅｓｔ  Ｆｅａｔｕｒｅｓ）」と題されたＰＣＴ公開番号ＷＯ９４／２７６７４、及び「ＡＥＤにおいて画面上投射レビューを提供する方法及び装置（Ｍｅｔｈｏｄ  ａｎｄ  Ａｐｐａｒａｔｕｓ  ｆｏｒ  Ｐｒｏｖｉｄｉｎｇ  Ｏｎ−Ｓｃｒｅｅｎ  Ｉｎｃｉｄｅｎｔ  Ｒｅｖｉｅｗ  ｉｎ  ａｎ  ＡＥＤ）」と題された米国公開特許出願番号２００２／０１５６５０３に記載されている。
【０００４】
ＡＥＤは、例えば、住宅、公共建築物、職場、個人の車両、公共輸送車両等といった、外部除細動器が全く予期されず、同様に相当まれにしか実行され得ない場所での外部除細動器の利用可能性を含め、多数の利点を提供する。これは、心停止から生き延びるチャンスが停止後の時間とともに急速に減少するので重要である。従って、ＣＲＰを実行することによる及び除細動ショックを施すことによる心停止への即座の応答は、決定的な重要性となる。
【０００５】
ＡＥＤは、除細動が必要であるかどうかを判別するよう心電図（ＥＣＧ）調律を自動的に解析することができる点で手動式除細動器とは異なる。ほとんど全てのＡＥＤ設計において、最初の応答者は、除細動ショックを患者へ送るためにショックボタンを押すように指示される。救急医療用除細動器は、しばしば、訓練レベルの異なる人物による使用を可能にするよう、ＡＥＤ及び多数の機能を１つのユニットに兼ね備える。
【０００６】
ＡＥＤは、高度な心臓生命維持（ＡＣＬＳ）技術を適切に訓練されていないかもしれない最初の応答者によって主に使用されるよう設計される。入院前の設定で、これらの最初の応答者は、除細動の訓練をした救命士、警察官、フライトアテンダント、警備員、職業保健士、及び消防士を含みうる。ＡＥＤは、また、ＡＣＬＳの訓練をした者が容易に使用することができない病院の敷地内でも使用可能である。
【特許文献１】米国特許番号５，６０７，４５４
【特許文献２】ＰＣＴ公開番号ＷＯ９４／２７６７４
【特許文献３】米国公開特許出願番号２００２／０１５６５０３
【特許文献４】米国特許番号６，３３４，０７０
【発明の開示】
【発明が解決しようとする課題】
【０００７】
たとえ最初の応答者が装置の操作及び心肺機能蘇生（ＣＰＲ）の、ある基本的な訓練を有しているとしても、彼らは、心臓発作に反応する緊張の間に、この基本的な訓練を忘れてしまうことがある。家庭及び公共の場所におけるＡＥＤのより幅広い配備により、除細動装置の最低限に訓練された又は訓練されていない使用は増大するであろう。従って、ＡＥＤは、心肺の事象、即ち、ＣＰＲ及びＡＥＤ装置の操作、を通して最低限しか又は全く訓練していない最初の応答者に正確な指示を上手く出すことができるべきである。
【０００８】
ＡＥＤは、現在のところ、除細動器を配備し、ＣＰＲを患者へ施すための指示を最初の応答者に提供することができる。例えば、米国特許番号６，３３４，０７０に開示されるＡＥＤは、ＡＥＤ筐体に組み込まれている表示部及びスピーカーを介して最初の応答者へ視覚的及び聴覚的な指示を与える。ＡＥＤは、通常、持ち運び可能な装置であるから、スピーカーの大きさは制限される。結果として、小さなスピーカーはそれほど激しく駆動され得ないので、スピーカーのボリューム及び忠実度も制限される。これは、聴覚的プロンプトを十分に理解して、それに従う最初の応答者の能力を妨げるように、ＡＥＤが騒々しい環境で使用される場合に深刻な問題を与えうる。例えば、ＡＥＤは、通常、民間航空機で配備され、使用される。民間航空機では、周囲の高い騒音レベルにより、救助中にＡＥＤから発せられる聴覚的指示がかき消される。聴覚的プロンプトに伴う他の問題は、それらが、救助処置中に発生するバックグラウンドの会話の記録に干渉しうることである。このような記録は、しばしば、救助後の解析を実施するために、救助中に消防署又は他の公共機関によって必要とされる。ＡＥＤによって発せられた度々の聴覚的プロンプトは、必要に応じて行う解説を中断又はかき消しうる。
【課題を解決するための手段】
【０００９】
本発明に従って、方法及び装置は、患者へ結合可能な電極の組を有する外部除細動器を動作するためにユーザへ指示を与える。当該方法は、前記電極の組を前記患者へ取り付けるよう前記ユーザに指示する音声プロンプトを無線プロトコルを介して送信することによって開始する。当該方法は、除細動器治療を施すよう前記ユーザに指示する少なくとも１つの更なる音声プロンプトを前記無線プロトコルを介して送信することによって続く。
【００１０】
本発明の１つの態様に従って、音声プロンプトは、ＣＰＲ治療を施すよう前記ユーザに指示するよう送信される。
【００１１】
本発明の他の態様に従って、音声プロンプトは、患者評価シーケンスが始められることを前記ユーザに指示するよう送信される。
【００１２】
本発明の他の態様に従って、前記外部除細動器は、全自動式外部除細動器である。
【００１３】
本発明の他の態様に従って、前記外部除細動器は、半自動式外部除細動器である。
【００１４】
本発明の他の態様に従って、前記無線プロトコルは、ブルートュースと、ＩＥＥＥ８０２．１１と、ＩＥＥＥ８０２．１５と、ＩＥＥＥ８０２．１６と、近距離通信インターフェース及びプロトコル（ＮＦＣＩＰ−１）と、ホームＲＦとを有するグループから選択される。
【００１５】
本発明の他の態様に従って、音声プロンプトは、持ち運び可能な装置に組み込まれた受信器へ送信される。
【００１６】
本発明の他の態様に従って、前記持ち運び可能な装置は、ヘッドホンと、無線電話と、ＰＤＡとを有するグループから選択される。
【００１７】
本発明の他の態様に従って、制御装置と、エネルギー源と、電気療法を患者へ提供する少なくとも１つの電極と、前記エネルギー源から前記少なくとも１つの電極へ電気ショックを伝えるよう前記制御装置によって動作可能なエネルギー伝送システムとを有する電気療法装置が提供される。該電気療法装置は、また、前記制御装置によって起動される音声プロンプトを発生させる音声回路と、無線通信プロトコルを介して前記音声プロンプトを送信するために前記音声回路へ結合された無線送信器とを有する。
【発明を実施するための最良の形態】
【００１８】
以下の考察は、当業者が本発明を生産及び使用することを可能にするよう表されている。好ましい実施例への様々な変形は、当業者に容易に認識され、本明細書等で定義される一般的な原理は、添付の特許請求の範囲によって定義される本発明の主旨及び適用範囲を損なわない範囲で他の実施例及び用途に適用される。従って、本発明は、示された実施例に限定されず、本明細書等で開示される原理及び特徴と一致する最も幅広い適用範囲を与えられるべきである。
【００１９】
本発明は、ユーザにより装着された一対のヘッドホンに置かれた無線受信器へ無線送信器を介して第１の応答者又は他のユーザにより必要とされる実際のプロンプトを送信することによって上述した問題を解決する自動又は半自動の外部除細動器を提供する。このような方法において、ユーザは、彼らが他の環境発生源からの最低限の妨害がある状態で実際の情報を明瞭に受信しうることを保証され得る。除細動器は、また、プロンプトを送信するためのユニットに組み込まれたスピーカーを含んでも、あるいは含まなくとも良い。スピーカーが含まれる場合に、本発明の幾つかの実施例では、スピーカーは、ユーザが無線送信モードを開始する際に、手動で、又は、場合によっては自動で、音を弱められても良い。
【００２０】
本発明に従って応答者によって装着されるヘッドホンへの無線接続を介する応答者プロンプト情報の送信は、如何なる自動又は半自動の外部除細動器へも適用可能であるが、説明のために、１つの特定の自動式外部除細動器しか図１に関連して記載されない。同様に、記載される特定の音声プロンプトは、説明の目的のためだけであって、本発明の限定として解釈されるべきではない。
【００２１】
図１は、自動又は半自動の外部除細動器７０の電気システムのブロック図である。除細動器７０の全体的な動作は、プログラムメモリ７６及びイベントメモリ７８へインターフェース接続された処理装置７４を含む、デジタルマイクロプロセッサを用いる制御システムによって制御される。処理装置７４によって実行される動作プログラムは、プログラムメモリ７６に格納されている。当然、動作プログラムは、ハードウェア、ソフトウェア、ファームウェア、又はそれらの如何なる組合せにおいて具現化されても良い。電力は、例えば再充電可能なバッテリーカートリッジのようなエネルギー源１２によって供給される。高電圧エネルギー伝送システム１９は、エネルギー源１２から電力を受けるよう接続されている。
【００２２】
高電圧エネルギー伝送システム１９は、また、処理装置７４へ接続され、それによって制御される。このようなエネルギー伝送システム１９は、一般的に知られており、例えば、米国特許番号５，４０５，３６１に開示されている。処理装置７４によって供給される充電制御信号に応答して、高電圧エネルギー伝送システム１９は、一組の半導体スイッチ（別途図示せず。）が複数のキャパシタ（やはり図示せず。）をエネルギー源１２によって充電する充電モードで動作する。充電されると、処理装置７４によって供給される放電制御信号に応答して、高電圧エネルギー伝送システム１９は、キャパシタが高電圧除細動パルスを作るよう他の半導体スイッチの組（別途図示せず。）によって順次に放電される放電モードで動作する。除細動パルスは、電極５０により患者へ印加される。電極５０は、コネクタ５８によって高電圧エネルギー伝送システム１９へ接続されている。後述するある環境下で、処理装置７４は、高電圧発生回路１９を、電極５０ではなく内部抵抗負荷９８を介して放電する。
【００２３】
インピーダンス測定回路１００は、電極５０へ接続されており、アナログ−デジタル（Ａ／Ｄ）変換器１０２を介して処理装置７４へインターフェース接続されている。インピーダンス測定回路１００は、信号を電極５０へ印加する。電極５０から後ろへ受信される信号の大きさは、インピーダンス測定回路１００によって監視される。その場合に、コネクタ５８の両端に存在するインピーダンスを表すインピーダンス信号は、印加され、受信された信号の大きさの比の関数（即ち、印加された信号の減衰）として回路１００によって発生する。例えば、電極５０が動作している場合には、夫々低い（約１０Ωより小さい）抵抗がコネクタ５８の両端に存在するべきである。例えば、電極５０上の導電接着剤が乾いている場合に、電極５０は、適切にコネクタ５８へ接続されない。あるいは、電極５０は、適切に患者に置かれない。この場合に、比較的高い（例えば約１００Ωよりも大きい）抵抗が存在しうる。回路１００によって測定されたインピーダンスを表すインピーダンス信号は、Ａ／Ｄ変換器１０２によってデジタル化され、処理装置７４へ供給される。
【００２４】
除細動器７０は、また、電極５０とＡ／Ｄ変換器１０２との間に接続されている心電図（ＥＫＧ）及び増幅器回路１０４を含む。ＥＫＧ、即ち患者の心調律は、従来の方法では、処理装置７４へ結合される前に、フィルタ及び増幅器回路１０４によって処理され、Ａ／Ｄ変換器１０２によってデジタル化される。
【００２５】
データ通信ポート３２は、例えばＲＳ−２３２プロトコルを用いて双方向シリアル送信のために処理装置７４へ結合される。ＡＥＤ筐体上に置かれた診断表示部は、例えば、救助スイッチ４０、レスキュースイッチ光源２８、及び再開（ｒｅｓｕｍｅ）スイッチ１８のような機能を含む。音声回路９４は、無線送信器８５へ接続されている。処理装置７４からの音声プロンプト制御信号に応答して、音声回路９４及び無線送信器８５は、応答者によって装着され得るヘッドホン５６に組み込まれた受信器へ無線搬送波（ＩＲ又はＲＦ搬送波）上で音声プロンプトを発生させる。更に、本発明の幾つかの実施例において、音声回路９４は、また、スピーカー４１へ接続されても良い。スピーカー４１は、無線ヘッドホンを装着していない応答者が聞くことのできる可聴音声プロンプトを発生させても良い。
【００２６】
本発明の幾つかの実施例において、受信器は、ヘッドホン以外の持ち運び可能な装置に組み込まれても良い。例えば、受信器は、無線電話又はパーソナル・デジタル・アシスタント（ＰＤＡ）等に組み込まれても良い。
【００２７】
無線送信器８５及びヘッドホン５６に置かれた受信器（図示せず。）は、確立された通信規格に従う。当然、多種多様な無線プロトコルが実施可能であり、様々な異なった通信周波数で動作しても良い。本発明のある実施例において、無線送信器８５は、例えば、ブルートュース、ＩＥＥＥ８０２．１１、ＩＥＥＥ８０２．１５、ＩＥＥＥ８０２．１６、近距離通信インターフェース及びプロトコル（ＮＦＣＩＰ−１）、ホームＲＦといった放送可能な無線プロトコル上で音声プロンプトを送信しても良い。ブルートュース・プロトコルは、一般に、他の技術よりも電力消費が少ないので、本発明の幾つかの実施例においては好まれうる。
【００２８】
使用において、救助モード動作は、操作者が電極５０及びヘッドホン５６にアクセスするために除細動器の保護カバーを取り除く場合に開始される。電極５０及びヘッドホン５６は、除細動器の同じ又は異なった区画に置かれていても良い。次に、処理装置７４は、カバーが取り外されたときに充電器がエネルギー源１２へ接続されている場合に、無線送信器８５上で音声プロンプト「救助を試みるために、充電器を外してください。」の発生を開始することによって、その救助モード動作を開始する。音声プロンプトの発生の前に、処理装置７４は、バッテリーの充電状態、電極５０の相互接続及び操作性、イベント記憶メモリ７８の状態、並びにＡ／Ｄ変換器１０２の機能性といった項目を確認するセルフテスト手順を完了しても良い。
【００２９】
処理装置７４は、無線送信器８５上で音声プロンプト「電極を置いてください。」の発生を開始する。この音声プロンプトに応答して、操作者は、患者の胸に電極を置くべきである。この動作が実行されている間に、処理装置７４は、電極が患者に適切に置かれていることを電極の両端のインピーダンスが示しているか否かを判別するよう、Ａ／Ｄ変換器１０２を介して受信されたインピーダンス信号を監視する。正確なインピーダンスが測定されない場合には、処理装置７４は、音声プロンプト「電極を確認してください。」の発生を開始する。
【００３０】
電極５０の適切な配置を示すインピーダンスを検出した後、操作者による更なる動作がない場合に（即ち、自動的に）、処理装置７４は、音声プロンプト「患者に触らないでください。心調律を解析中。」の発生を開始し、患者の心調律を解析することによって、第１の解析手順を開始する。１つの実施例において、処理装置７４は、患者の心調律の幾つかの第２の部分を収集し、解析する。処理装置７４により実行される心調律解析プログラムは、プログラムメモリ７６に格納されている。心調律解析プログラムにより実施される形式のアルゴリズムは、一般に知られており、例えば、１９９４年のＷ．Ａ．Ｔａｃｋｅｒ  Ｊｒ．著「心臓の除細動（Ｄｅｆｉｂｒｉｌｌａｔｉｏｎ  ｏｆ  ｔｈｅ  Ｈｅａｒ）」に開示されている。処理装置７４は、患者が除細動パルスによる治療の余地のないショック不可能な心調律（例えば、細動調律でないパルス）を有することを判別すると、音声プロンプト「パルスを確認してください。パルスがない場合には、ＣＰＲを与えてください。」の発生を開始する。この音声プロンプトの後１分は、処理装置７４は、音声プロンプト「患者に触らないでください。心調律を解析中。」の開始と、関連する心調律解析とを繰り返す。
【００３１】
ショック可能な心調律が検出されると、処理装置７４は、音声プロンプト「充電」の発生の開始により第１の充電手順を開始し、高電圧エネルギー伝送システム１９を充電モードで動作させる。高電圧エネルギー伝送システム１９が充電されると、処理装置７４は、音声プロンプト「離れてください。救助のために光っているボタンを押してください。」の発生を開始することによって第１のショック手順を開始し、更に、救助スイッチ光源２８の点滅を開始する。次に、操作者による救助スイッチ４０の作動は、処理装置７４に高電圧エネルギー伝送システム１９を放電モードで動作させ、患者への除細動パルスの印加をもたらし、第１の解析・充電・ショックの一連の手順を完了する。
【００３２】
第１の解析・充電・ショックの一連の手順に続いて、処理装置７４は、第２の解析・充電・ショックの一連の手順を開始する前に、心臓がその心調律を回復することが可能となるよう約５秒の短い停止の間タイムアウトする。第２の解析・充電・ショックの一連の手順は、上述した第１の手順と全く同じである。ただし、除細動パルスのエネルギー含量は、第１のパルスのエネルギー含量と等しいか、あるいはそれより大きくても良い。第２の解析・充電・ショックの一連の手順が除細動パルスの伝送により終了する場合に、処理装置７４は、再び、第３の解析・充電・ショックの一連の手順を開始する前に約５秒の短い停止の間タイムアウトする。第３の手順は、また、第１の手順と全く同じであるが、処理装置７４は、救助スイッチ４０の作動時に伝送される除細動パルスがより一層高いエネルギー含量を有するように、高電圧エネルギー伝送システム１９を制御する。
【００３３】
第３の解析・充電・ショックの一連の手順の終了時における除細動パルスの伝送に続いて、又は、ショック不可能な心調律を確認した後に、処理装置７４は、音声プロンプト「パルスを確認してください。パルスがない場合には、ＣＰＲを与えてください。」の発生を開始する。次に、処理装置７４は、１分のＣＰＲ期間を計時して、３連続の解析・充電・ショックの手順を有する第１の組を完了する。次に、救助モード動作は、上述した形式の３連続の解析・充電・ショックの手順を有する更なる組により続く。処理装置７４は、９連続の解析・充電・ショックの手順の全てが実行された場合に、又は除細動器のカバーが閉じられる場合に、除細動器７０の救助モード動作を終了する。
【００３４】
解析、充電及びショックの手順の全てを通して、処理装置７４は、コネクタ５８の両端に存在するインピーダンスを監視し、電極５０が適切に患者の上に置かれたままであるか否かを判別する。監視されたインピーダンスが範囲外である（例えば、電力が患者から外れている場合には高すぎ、短絡されている場合には低すぎる。）場合には、処理装置７４は、音声プロンプト「電極を確認してください。」の発生を開始し、高電圧発生回路１９に、内部負荷９８に存在しうる如何なる電荷も放電させる。救助モード動作は、電極が適切に患者に再配置されたことを処理装置７４が判別する場合に再開しうる。
【００３５】
除細動器の動作と、患者の監視された心調律とを表すデータは、救助モード動作中にイベントメモリ７８に格納される。除細動器の動作を表す格納されているデータは、以下のイベント、即ち、１）患者における電極の配置、２）心調律解析音声プロンプトの開始、３）充電音声プロンプトの開始、４）高電圧エネルギー伝送システム１９の充電モード動作の完了、及び５）救助スイッチ４０の作動、の幾つか又は全ての発生の実時間を含んでも良い。患者の心調律の実時間基準も、メモリ７８に格納されている。救助の後に、格納されているデータは、通信ポート３２へインターフェース接続されたパーソナルコンピュータ（ＰＣ）（図示せず。）の使用によりイベントメモリ７８から取り出されうる。
【００３６】
様々な実施例が本明細書中で具体的に表され、説明されているが、本発明の改良及び変形が、前出の技術の適用を受け、本発明の主旨及び適用範囲を損なわない範囲で添付の特許請求の範囲内にあることは明らかである。例えば、除細動器は、無線送信器８５及びヘッドホン５６と同時に動作する前出のスピーカーを有しても良い。このような配置は、聴覚ユーザインターフェースの代理機能性を提供する。また、更なる指示（ｐｒｏｍｐｔｉｎｇ）ステップ又は前出のプロトコルの変形例は、本発明の適用範囲内である。
【図面の簡単な説明】
【００３７】
【図１】本発明に従って構成される電気療法装置の一実施例のブロック図である。
【図１】
2007522859.tif 000003
【国際調査報告】
2007522859.tif 000004
2007522859.tif 000005
2007522859.tif 000006